(57)【要約】【課題】幹線から分岐するオプション用の枝線を、該幹線に簡単に巻き付けると共にテープ屑を発生させずに幹線から取り外せるようにする。【解決手段】前記枝線の長さ方向に沿って帯状シートを配置し、該帯状シートの一面に設けた糊面で前記枝線に粘着して取り付けており、前記帯状シートはポリエチレン超延伸シートからなり、分子配向方向（ＭＤ方向）に沿った方向に易屈曲性を備え、かつ、屈曲状態で形状保持力を有すると共に該屈曲状態を解いて直線状に延ばすことができる原形回復力を有し、前記帯状シートを取り付けた前記枝線を前記幹線の外周に巻き付け、該帯状シートの形状保持力で前記幹線への巻付状態を保持して前記オプション用のコネクタを前記幹線の外周に保持している。【選択図】図３
2017021933.tif 000002
【特許請求の範囲】
【請求項１】
車両に配索するワイヤハーネスの幹線から分岐する枝線端末に接続するオプション用のコネクタを、前記幹線に離脱自在に取り付けているワイヤハーネスであって、
前記枝線の長さ方向に沿って帯状シートを配置し、該帯状シートの一面に設けた糊面で前記枝線に粘着して取り付けており、
前記帯状シートはポリエチレン超延伸シートからなり、分子配向方向（ＭＤ方向）に沿った方向に易屈曲性を備え、かつ、屈曲状態で形状保持力を有すると共に該屈曲状態を解いて直線状に延ばすことができる原形回復力を有し、
前記帯状シートを取り付けた前記枝線を前記幹線の外周に巻き付け、該帯状シートの形状保持力で前記幹線への巻付状態を保持して前記オプション用のコネクタを前記幹線の外周に保持していることを特徴とする車両用ワイヤハーネス。
【請求項２】
前記帯状シートを枝線に粘着した状態で、さらに前記帯状シートの長さ方向の両端を粘着テープを用いて前記枝線に巻き付けて固着している請求項１に記載の車両用ワイヤハーネス。
【請求項３】
前記帯状シートは幅方向に対してＭＤ方向を４５度に傾斜させ、該帯状シートと前記枝線とを一体として、前記幹線に該帯状シートのＭＤ方向が傾斜方向となる螺旋状に巻き付け、または、
前記帯状シートは幅方向をＭＤ方向とし、該帯状シートと前記枝線とを一体として、前記幹線の外周に該帯状シートのＭＤ方向を長さ方向として重ね巻きで巻き付けている請求項１または請求項２に記載の車両用ワイヤハーネス。
【発明の詳細な説明】
【技術分野】
【０００１】
本発明は車両用ワイヤハーネスに関し、詳しくは、車両に配索するワイヤハーネスの幹線から分岐する枝線端末に接続されたオプション用のコネクタを、粘着テープを用いずに幹線に取り付けると共に、該コネクタの使用時に幹線から簡単に離脱できるようにするものである。
【背景技術】
【０００２】
従来、自動車等の車両に配索されるワイヤハーネスには、図５に示すように、ワイヤハーネスの幹線１００からオプション用の枝線１０１を分岐し、該枝線端末にオプション用のコネクタ１０２を接続しておき、該コネクタ１０２を幹線１００に粘着テープ１１０で巻き付けて取り付けている。対応するオプション機器が自動車に搭載される場合は、粘着テープ１１０を取り外して、枝線１０１を延ばし、オプション用のコネクタ１０２をオプション機器側のコネクタと接続している。（特開２００２−２８１６４６号公報参照）
【先行技術文献】
【特許文献】
【０００３】
【特許文献１】特開２００２−２８１６４６号公報
【発明の概要】
【発明が解決しようとする課題】
【０００４】
前記のように、オプション用のコネクタを幹線に粘着テープで巻き付けて取り付けておくと、オプション機器を搭載してコネクタを幹線から取り外す際に粘着テープを引きちぎって取り除くため、テープ屑が発生し、自動車内に落下しやすい。このテープ屑は小さいため、車内の設置材の下部に入り込むと取り除くことが容易でなく、自動車走行時に異音発生の要因となる。かつ、粘着テープは容易に千切ることができず、手数がかかる問題もある。
【０００５】
本発明は前記問題に鑑みてなされたもので、オプション用の枝線端末に接続したコネクタを幹線に粘着テープを用いずに取り付け、オプション機器が搭載されてコネクタを幹線から取り外す時に粘着テープを千切る必要がなく、テープ屑が発生しないようにすることを課題としている。
【課題を解決するための手段】
【０００６】
前記課題を解決するため、本発明は、車両に配索するワイヤハーネスの幹線から分岐する枝線端末に接続するオプション用のコネクタを、前記幹線に離脱自在に取り付けているワイヤハーネスであって、
前記枝線の長さ方向に沿って帯状シートを配置し、該帯状シートの一面に設けた糊面で前記枝線に粘着して取り付けており、
前記帯状シートはポリエチレン超延伸シートからなり、分子配向方向（ＭＤ方向）に沿った方向に易屈曲性を備え、かつ、屈曲状態で形状保持力を有すると共に該屈曲状態を解いて直線状に延ばすことができる原形回復力を有し、
前記帯状シートを取り付けた前記枝線を前記幹線の外周に巻き付け、該帯状シートの形状保持力で前記幹線への巻付状態を保持して前記オプション用のコネクタを前記幹線の外周に保持していることを特徴とする車両用ワイヤハーネスを提供している。
【０００７】
前記ポリエチレン超延伸シートからなる帯状シートは、枝線との接触面を糊面としているため、枝線に沿わせて配置すると共に強く押し付けると枝線に粘着することができる。かつ、幹線へ巻き付けると、帯状シートは枝線と重なった屈曲状態で保持されるため、枝線から帯状シートが剥がれて離脱することはない。
【０００８】
枝線への帯状シートの取付信頼性を高めるため、前記帯状シートを枝線に粘着した状態で、さらに、帯状シートの長さ方向の両端を粘着テープを用いて前記枝線に巻き付けて固着してもよい。
この粘着テープを用いる場合も、オプション機器を搭載してオプション用のコネクタを使用する際に、枝線と一体の帯状シートを幹線から巻き戻すだけであるため、粘着テープを取り外す必要はなく、テープ屑は発生しない。
【０００９】
前記帯状シートは幅方向に対してＭＤ方向を４５度に傾斜させ、該帯状シートと前記枝線とを一体として、前記幹線に該帯状シートのＭＤ方向が傾斜方向となる螺旋状に巻き付け、または、
前記帯状シートは幅方向をＭＤ方向とし、該帯状シートと前記枝線とを一体として、前記幹線の外周に該帯状シートのＭＤ方向を長さ方向として重ね巻きで巻き付けている。
オプション用機器が搭載されず、オプション用のコネクタが不要な場合は、幹線に枝線と帯状シートを巻き付けた状態で保持する。その際、帯状シートは形状保持力を有するため、幹線への巻き付け状態を保持でき、コネクタを幹線上に保持できる。
【００１０】
前記帯状シートとするポリエチレン超延伸シートとして、三次元形状に折り曲げた状態で形状保持力を有する積水成型工業株式会社製の登録商標「フォルテ」が好適に用いられる。該「フォルテ」からなるポリエチレン超延伸シートは、ポリエチレン分子がＭＤ方向の一軸方向に配向制御され、前記のように、ＭＤ方向に沿って容易に屈曲して形状を変えることができる。其の際、９０度曲げで戻り角度が０゜〜３゜で殆ど曲げ戻りがなく、曲げた状態で形状を保持できる保形性に富んだ特性を有する。しかも、切断端が丸みを帯びてエッジが発生しないため、安全性が高く、かつ、リサイクルが容易である。
【００１１】
しかも、「フォルテ」からなるポリエチレン超延伸シートは、厚み０．４ｍｍ以上で、引張弾性率（ＧＰａ）が１２以上、引張強度（ＭＰａ）が５４以上で、高強度、高剛性であり、しかも、比重が１以下で軽量であり、かつ、防錆性を有するため、浸水領域に用いることができる利点も有する。
【００１２】
前記ポリエチレン超延伸シートは、作業員が手動で容易に切断および折り曲げることができるため、枝線への取り付け、幹線への巻き付けが簡単に行え、作業性がよい。
かつ、オプション機器を搭載し、枝線を延ばして、コネクタを相手方コネクタと嵌合し、オプション用コネクタを使用する場合に、枝線を帯状シートで保護できると共に経路保持もできる利点がある。
【発明の効果】
【００１３】
前記のように、本発明の車両用ワイヤハーネスは、巻き付け状態を保持できる形状保持力を有するポリエチレン超延伸シートで帯状シートを形成し、該帯状シートを枝線に貼り付けて一体として幹線に巻き付けているため、該巻き付けただけで、巻き付け状態を保持できる。よって、従来のように、幹線への枝線の巻き付け状態を保持するために粘着テープを用いて巻き付ける必要はなく、作業手数を省くことができる。特に、枝線端末のオプション用のコネクタを使用する際に、粘着テープを破って枝線を引き出す必要はなく、粘着テープの屑が発生するのを防止できる。
【図面の簡単な説明】
【００１４】
【図１】本発明の第１実施形態を示し、（Ａ）は斜視図、（Ｂ）は（Ａ）のＢ−Ｂ線断面図、（Ｃ）は（Ａ）のＣ−Ｃ線断面図である。
【図２】第１実施形態で用いる帯状シートを示し、（Ａ）は平面図、（Ｂ）は断面図である。
【図３】第１実施形態の枝線を幹線に巻き付けた状態の斜視図である。
【図４】第２実施形態を示し、（Ａ）は帯状シートの斜視図、（Ｂ）は枝線を幹線に巻き付けた状態の断面図である。
【図５】従来例を示す図面である。
【発明を実施するための形態】
【００１５】
以下、本発明の実施形態を図面を参照して詳述する。
図１乃至図３に本発明の第１実施形態を示す。
図示のワイヤハーネス１は自動車に配索しており、複数本の電線からなる幹線２から複数の電線からなる枝線３が分岐位置Ｐで分岐している。該枝線３はオプション用の枝線で、その端末にオプション用のコネクタ５が接続されている。該コネクタ５は分岐位置Ｐに近接した幹線２の外周に取り付けており、この状態でワイヤハーネス工場から自動車組立工場に搬送される。自動車に対応するオプション機器が搭載されると幹線２から取り外して枝線３を引き延ばしてコネクタ５をオプション機器側の相手方コネクタまたはオプション機器に設けたコネクタ嵌合部に嵌合するものである。
【００１６】
前記オプション用の枝線３には、分岐位置Ｐの根元からコネクタ５と接続した先端近傍まで、長さ方向に沿って枝線３の一側面に帯状シート１０を固着している。帯状シート１０の幅方向Ｓの寸法は断面楕円状に集束した枝線３の長辺の長さと同様としている。  
【００１７】
帯状シート１０の一面は粘着材が塗布された糊面１０ａとし、該糊面１０ａを枝線３の外面に強く押し当てて粘着している。
該帯状シート１０はポリエチレン超延伸シートからなり、本実施形態では積水成型工業株式会社製の登録商標「フォルテ」を用いている。該ポリエチレン超延伸シートは分子配向方向（ＭＤ方向）に沿った方向に易屈曲性を備え、かつ、屈曲状態で形状保持力を有すると共に該屈曲態を解いて直線状に延ばすことができる原形回復力を有する。厚さ０．３〜０．６ｍｍのポリエチレン超延伸シートが好適に用いられ、本実施形態では厚さが０．４ｍｍ、その一面に粘着材を塗布した糊面１０ａの厚さが０．１ｍｍで、全体厚さ０．５ｍｍとしている。
【００１８】
前記ポリエチレン超延伸シートからなる帯状シート１０は、図２（Ａ）に示すように、幅方向Ｓに対してＭＤ方向を４５度傾斜させている。ＭＤ方向に沿って容易に屈曲するため、帯状シート１０は４５度傾斜方向に容易に屈曲できるようにしている。よって、枝線３の長さ方向に沿って帯状シート１０を取り付け、該帯状シート１０と枝線３を一体として、幹線２に螺旋状に斜め巻きが容易にできるようにし、かつ、巻き付け状態で形状保持でき、枝線３および端末に接続したコネクタ５を幹線２の外周面に保持できるようにしている。
【００１９】
また、本実施形態では、帯状シート１０を枝線３に糊面１０ａで粘着すると共に該帯状シート１０の長さ方向の両端を粘着テープ１３Ａ、１３Ｂを用いて枝線３に巻き付けて固着している。
【００２０】
前記のように、幹線２から分岐したオプション用の枝線３の長さ方向に沿ってポリエチレン超延伸シートからなる帯状シート１０を取り付けておき、オプション用のコネクタ５を端末に接続した枝線３と帯状シート１０とを一体として幹線２に螺旋状に巻き付けている。この螺旋状の巻き付け状態で帯状シート１０は形状保持力を有するため、幹線２に枝線３と帯状シート１０さらにコネクタ５を粘着テープを用いて巻き付け保持する必要はない。その結果、自動車にオプション機器が搭載され、幹線２より枝線３の巻き付け状態を解く際に粘着テープを破り捨てることはなく、テープ屑を発生させない。
【００２１】
図４（Ａ）（Ｂ）に第２実施形態を示す。
第２実施形態では、帯状シート１０の幅Ｓの方向に分子配向方向（ＭＤ方向）を合わせて形成している。該帯状シート１０をオプション用のコネクタ５を先端に接続した枝線３に第１実施形態と同様に糊面１０ａで粘着している。本実施形態では、帯状シート１０の長さ方向の両端を枝線３に粘着テープで巻き付けていない。これは帯状シート１０の糊面１０ａを枝線３の外面に粘着するだけで、帯状シート１０が枝線３から容易に離脱しない状態で取り付けられることによる。
【００２２】
前記枝線３と帯状シート１０とを一体として幹線２の分岐位置の近傍の外周に複数回重ね巻きし、コネクタ５を幹線２上に保持する。この幹線２の外周への重ね巻き時に、帯状シート１０は幅Ｓの方向に沿って屈曲しながら幹線２に巻き付けられるため、該帯状シート１０と枝線３とは幹線２に容易に巻き付けられ、かつ、該巻き付け状態で保持できる。
他の構成および作用は第１実施形態と同様であるため、説明を省略する。
【００２３】
前記のように、本発明によれば、巻き付け状態で形状保持できるポリエチレン超延伸シートからなる帯状シート１０を用い、オプション用の枝線３の長さ方向に沿って帯状シート１０の一面の糊面１０ａを粘着し、該状態で枝線３と帯状シート１０とを一体として幹線２の外周に螺旋巻き又は重ね巻きするだけで、巻き付け状態を保持でき、コネクタ５を幹線上に保持することができる。かつ、オプション機器が搭載されコネクタ５が使用される場合には、幹線２への枝線３と帯状シート１０の巻き付け状態を解いて巻き戻すことも容易にできる。
このように、幹線への枝線の巻き付け及びコネクタの保持を粘着テープで行い、コネクタ使用時に粘着テープを破り捨てることはないため、従来問題となっていたテープ屑の発生を未然に防止できる。
【符号の説明】
【００２４】
１  ワイヤハーネス
２  幹線
３  枝線
５  コネクタ
１０  帯状シート
１３Ａ、１３Ｂ  粘着テープ
【図１】
2017021933.tif 000003
【図２】
2017021933.tif 000004
【図３】
2017021933.tif 000005
【図４】
2017021933.tif 000006
【図５】
2017021933.tif 000007